(57)【要約】【課題】操作時に安定したブレーキ効果を提供し、ケーブルの出し入れがスムーズに行えるよう、同軸に複数のホイールを具有するケーブル巻取器の構造を提供する。【解決手段】左右両ホイール１１，１３を具有する回転ホイール１０を設け、その中心孔１２を一つの軸部３０に回転可能な状態で接続し、一本のケーブルSの中途からそれぞれ異なる方向で左右両ホイール１１，１３に巻き付けることにより、該ケーブルSを上ケーブルS３と下ケーブルS４とに分け、また、該ホイール１０の側壁面上には少なくとも一つ以上の滑動溝１５を設け、該滑動溝１５には更にボール２０を収容して、該ボール２０が該滑動溝１５内の可動空間１５３にて転がるときは軸受けとなって該ホイール１０を正方向及び逆方向に回転させ、また該ボール２０が幅の狭い制限空間内１５１に位置するときは該ボール２０がブレーキ作用を提供する。【選択図】        図１
0003102819.tif 000002
【実用新案登録請求の範囲】
【請求項１】
回転ホイールと、渦巻きバネと、ケーブルとより構成される、同軸に複数のホイールを具有するケーブル巻取器において、
外周面を少なくとも左ホイール及び右ホイール等の二つ以上に分けけられたホイールを含み、且つ中心孔が一つの軸部に回転可能な状態で連結されている回転ホイールと、
内端部が該軸部に連結されており、外端が該回転ホイール上に連結されている渦巻きバネと、
中途位置で該回転ホイール上に固定されていることにより、上部と下部とに隔てられ、且つ該上部と下部が逆向きでそれぞれ該左右両ホイール上に巻きつけられている一本の連続するケーブルと、
を具有し、
該回転ホイールの片側壁面上には該中心孔に沿って、少なくとも一つ以上の滑動溝が設けられており、少なくとも一つ以上のボールが該滑動溝中に移動及び回転可能な状態で装入され、且つ該ボールは該滑動溝中の適当な位置にて該軸部表面と嵌合されて定位されることを特徴とする同軸に複数のホイールを具有するケーブル巻取器の構造。
【請求項２】
該回転ホイール中の滑動溝の一端部側には制限空間が設けられており、該制限空間の内径方向間隔は該ボールの外径よりも小さく、該ボールが該制限空間にまで転がると、該ボールの表面が該制限空間の上溝壁と該軸部の表面とに嵌合し、該回転ホイールにブレーキ効果を提供することを特徴とする請求項１記載の同軸に複数のホイールを具有するケーブル巻取器の構造。
【請求項３】
該ホイール中の滑動溝には、可動空間内径より外径が小さいボールを具有し、該ボールが該可動空間内にて転がることで、該回転ホイールが該軸部にて回転することを特徴とする請求項１記載の同軸に複数のホイールを具有するケーブル巻取器の構造。
【請求項４】
該軸部は該右外殻の内壁面より突出した状態に固定されていることを特徴とする請求項１記載の同軸に複数のホイールを具有するケーブル巻取器の構造。
【請求項５】
該左外殻には、該軸部と接続されるべく接続孔が設けられており、該左右外殻の上端及び下端にはそれぞれ軸ピンと挿入孔とが設けられており、更に該軸ピンが該挿入孔に挿入されることで一体となった該左右外殻には定位溝が形成されていることを特徴とする請求項１記載の同軸に複数のホイールを具有するケーブル巻取器の構造。
【請求項６】
該上ケーブルと下ケーブルの至端部にはそれぞれ電気シグナルがアウトプットされる電気製品が接続されており、該電気製品にはイヤホンやマイクロホン、プラグやコンセント、回路板などが含まれることを特徴とする請求項１記載の同軸に複数のホイールを具有するケーブル巻取器の構造。
【請求項７】
該回転ホイールの左右両ホイールは、その外径が等しいものである、或いは異なるものであることを特徴とする請求項１記載の同軸に複数のホイールを具有するケーブル巻取器の構造。
【請求項８】
該回転ホイールの左右両ホイール上には、回収時に該ケーブルを上下に分けるリングを別に設けることを特徴とする請求項１記載の同軸に複数のホイールを具有するケーブル巻取器の構造。
【請求項９】
回転ホイールと、渦巻きバネと、ケーブルとより構成される同軸に複数のホイールを具有するケーブル巻取器の構造において、
外周表面上にメインホイールが設けられており、且つ中心孔が一つの軸部に回転可能な状態で接続がれている回転ホイールと、
内端部が該軸部に連結されており、外端が該回転ホイール上に連結されている渦巻きバネと、
中途位置で該回転ホイール上に固定されて定位されていることで上部と下部とに隔てられており、該上部と下部とが相互に重なって該メインホイールに巻きつけられている連続する一本のケーブルと、
を具有し、
該回転ホイールの側壁上には中心孔に沿って少なくとも一つ以上の滑動溝が設けられており、且つ一つ以上のボールが該滑動溝中にて転がるべく可動な状態で装入されており、並びに該ボールは該滑動溝中の適当な位置にて該軸部表面とによって嵌合されて定位されることを特徴とする同軸に複数のホイールを具有するケーブル巻取器の構造。
【考案の詳細な説明】
【技術分野】
【０００１】
本考案は同軸に複数のホイールを具有するケーブル巻取器の構造に係り、特に内部に設けられた集線用の複数のホイールが同軸上にて回転するものであり、ケーブルの出し入れがスムーズ且つ、ブレーキ効果を具有することで安定性の高いケーブル巻取器の構造に関わる。
【特許文献１】台湾特許  第５０９４４７号公報
【背景技術】
【０００２】
公知の一般的なケーブル巻取器には、ケーブルが上部と下部との二部に分けられ、引っ張り出したり回収することのできる装置があり、主にイヤホンなどの電気製品に使用されるものがある。
これは主にケーブルを収容する大小それぞれのホイールを具有し、これらが一つの軸部に回転可能な状態で設置されているものである。該軸部を利用してホイールが回転するとき、各ホイールにそれぞれ収容されている上部と下部の両ケーブルが引っ張り出されたり回収されるのであり、またバネの弾力を利用したブレーキ構造が設けられていることで、ケーブルを引っ張った際、或いは回収する際にケーブルを定位する構造が提供されている。
【０００３】
また、公知の既に改良の加えられたタイプのケーブル巻取器において説明すると、図１１，１２に示すように、回転ホイールA上に直径の等しい左ホイールA１と右ホイールA２が設けられており、該ホイールAの片側壁面には環状の溝A３が形成されており、該ホイールAは更に固定軸B上に回転可能な状態で配置されている。
これに一本の連続するケーブルCが異なる方向でそれぞれ該左ケーブルA１，右ケーブルA２上に巻きつけられることで、上ケーブルC１と下ケーブルC２とに隔てられ、該上下各ケーブルC１，C２が引き出されたり、回収される際の力が該ホイールAを時計回り或いはそれと逆周りに回転させ、該上ケーブルC１と下ケーブルC２の引き出される、或いは回収される長さが等しくなっている。
また該ホイールAのブレーキについては、ボールDが該環状溝A３中の定位溝A４に位置することでブレーキ作用が達成される。
【考案の開示】
【考案が解決しようとする課題】
【０００４】
しかし上述のような両種の公知のケーブル巻取器の構造においては、以下のような欠点がある。
先ず公知の一般的なケーブル巻取器における大きな欠点とは、バネの疲労劣化が早いことが欠点となっていることである。
一方、改良が加えられたタイプにおける欠点としては、一つのボールが該環状溝にて滑動することで、力が該ホイールの側壁面に集中してしまうことであり、該ホイールが回転する安定性及びブレーキによる定位の安定性が劣ることである。また同時に該ホイールにブレーキがかかる際、該ボールは該環状溝の一定のどの位置にあっても、該定位溝にまで戻らなければブレーキがかからないことである。
そこで上述の欠点に鑑み、操作時に安定したブレーキ効果を提供すると同時に、ケーブルを引き出し、回収する動作がスムーズに行えるよう、本考案の同軸に複数のホイールを具有するケーブル巻取器の構造を提供する。
【課題を解決するための手段】
【０００５】
表面上に少なくとも左右両ホイールを具有する回転ホイールを設け、その中心孔を一つの軸部に可動な状態で接続し、一本のケーブルを異なる方向で左右両ホイールにそれぞれ巻きつけることにより、該ケーブルを上ケーブルと下ケーブルとに分け、該ホイールの側壁面上には、少なくとも一つ以上の滑動溝を設け、該滑動溝には更にボールを設け、該ボールが該滑動溝内の空間にて転がるときは軸受けとなって該ホイールを正方向及び逆方向に回転させ、また該ボールが制限空間内に位置するときは該ボールがブレーキ作用を提供し、こうすることで該ホイールの回転をスムーズ且つ安定したものにすると同時にブレーキがかかった際の安定性も増進させる。
【考案の効果】
【０００６】
本考案によるとケーブルの回転及びブレーキにおける安定性が増進されたと同時に、複数のホイールによる構造によりケーブルにブレーキが瞬時にかかることで、引きだすべきケーブルの長さが正確にコントロールできるようになった。
【考案を実施するための最良の形態】
【０００７】
本考案は、図１，２に示すように、表面上には少なくとも左右両ホイール１１，１３などの二個以上のホイールを含む回転ホイール１０が設けられており、中心孔１２が一つの軸部３０に回転可能な状態で形成されている。
渦巻きバネ８０の内端部８１は該軸部３０に連結されており、外端８２は該回転ホイール１０上に連結されている。
一本の連続したシグナルケーブルＳの適当な位置を該回転ホイール１０上に係合させて定位し、また該シグナルケーブルＳが該定位された部分により上ケーブルＳ３と下ケーブルＳ４とに隔てられて該上ケーブルＳ３と下ケーブルＳ４はそれぞれ反対方向に左ホイール１１と右ホイール１２上に巻かれる。
また該回転ホイール１０の側壁面上の該中心孔１２の円周に沿った個所に、少なくとも一つ以上の滑動溝１５が設けられる。
少なくとも一つ以上のボール２０は該滑動溝１５中にて転がるよう、該滑動溝１５中に滑動するべく挿入され、該滑動溝１５中の適当な位置と該軸部３０表面とによって収納び定位される。
【０００８】
図３，４に示すように、該回転ホイール１０中の滑動溝１５の溝末端には制限された空間１５１を具有し、該制限された空間１５１の内径は該ボール２０の外径より小さく設計されており、該ボール２０が該制限された空間１５１にまで転がると、該ボール２０の表面はそれぞれ該制限された空間１５１の上溝壁１５２及び軸部３０の表面に形成されたブレーキにて嵌合し、該回転ホイール１０にブレーキがかかる。
引き続き図３，４に示すように、該回転ホイール１０中の滑動溝１５は、内径の等しい可動空間１５３を具有し、該ボール２０の外径が該可動空間１５３の内径方向間隔より小さいことから、該ボール２０は該可動空間１５３にて転がり、該回転ホイール１０が該軸部３０に対し、回転する状態となる。
【０００９】
図１，２に示すように、該軸部３０は該右外殻４０の内壁面に突起して固定されており、左外殻５０に設けられた接続孔５２が該軸部３０と相互に接続され、該左右外殻５０，４０の上下端部にはそれぞれ軸ピン５４及び挿入孔４４が設けられており、該軸ピン５４が該挿入孔４４に挿入されることで一体となり、一体となった該左右両外殻５０，４０の側面には両者の間の間隔が空いて定位溝６０が形成される（図３，４参照）。
図１に示すように、該上下両ケーブルＳ３，Ｓ４の至端部はそれぞれ電気シグナルを出力する電気製品７０に連結されており、該電気製品７０はイヤホンやマイク、プラグやコンセント、或いは回路板などを含む。
図７，８に示すように、該回転ホイール１０の左右両ホイール１１，１３は、その外径（Ｄ，ｄ）を等しいものとして設計、或いは異なるものとして設計することができる。
図１，２に示すように、該回転ホイール１０の左右両ホイール１１，１３上には、該ケーブルSを上下に分けるべくリング１９を設けることにより、上下ケーブルＳ３，Ｓ４の巻き取り位置を隔ててもよい。
【００１０】
図９の回転ホイール１０に示すように、本考案における第一実施例では、表面上にメインホイール１４を設けた回転ホイール１０を具有し、これらの中心孔１２が一つの該軸部３０に可動な状態で設置される。
該渦巻きバネ８０の内端部８１は該軸部３０と連結しており、該外端８２は該回転ホイール１０上に連結している。
一本の連続するシグナルケーブルＳの適当な個所を該回転ホイール１０上にて定位し、これにより上ケーブルＳ３，下ケーブルＳ４を隔て、該上下両ケーブルＳ３，Ｓ４は相互に該メインホイール１４上に重なって巻きつけられる。
該回転ホイール１０の側面上には、該中心孔１２の円周に沿った個所に少なくとも一つ以上の滑動溝１５が設けられている。
また少なくとも一つ以上のボール２０は該滑動溝１５中に入れられ、該滑動溝１５中にて転がるものとし、該滑動溝１５中の適当な位置と、該軸部３０表面にて嵌合されて定位される。
【００１１】
実施方法としては、先ず図１，２に示すように、該渦巻きバネ８０は該回転ホイール１０の両壁面の収容凹部１６中に嵌合され、その外端８２は該回転ホイール１０上に連結され、また内端部８１は該軸部３０の嵌合溝３１中にて定位されており、該回転ホイール１０が回転力を受けるときに反撥する弾力を提供する個所となる。該シグナルケーブルＳは、境界として適当な個所を、該回転ホイール１０内にて窪んだ状態を呈した挟持溝１０１上に嵌合し、その一端は該回転ホイール１０の穿孔１７より穿出し、もう一端は該回転ホイール１０のもう一つの穿孔１８より穿出し、上下両ケーブルＳ３，Ｓ４を隔て、該上ケーブルＳ３が該右ホイール１３上巻かれ、該下ケーブルＳ４が該左ホイール１１上に巻かれる。
図３に示すように、該上下両ケーブルＳ３，Ｓ４が放たれる（引っ張られることによる）と、使用するのに適した状態となり、該上ケーブルＳ３或いは下ケーブルＳ４が引っ張られるとき発生する回転力により、該回転ホイール１０が回転し、該回転ホイール１０は該軸部３０を中心として回転し、このとき該ボール２０はちょうど該可動空間１５３中にて転がり、該ボール２０の外径は該可動空間１５３の内径空間より小さいことから、該ボール２０は該可動空間１５３中で転がり、該ボール２０が軸受けの役割を担って該回転ホイール１０がひねりを受けて回転し、スムーズかつ安定して回転する。
【００１２】
図４に示すように、該上下両ケーブルＳ３，Ｓ４はブレーキがかけられる点において、先ず使用者が該上下両ケーブルＳ３，Ｓ4を適当な長さにまで引っ張った後、引っ張る動作を一時停止することで、該回転ホイール１０は逆回転をし、該ボール２０が該滑動溝１５にて反対方向に向かい、制限された空間１５１中にまで転がり、該ボール２０の表面が該制限空間１５１の上溝壁１５２と該軸部３０の表面とに嵌合され、該ボール２０がブレーキとなり、該回転ホイール１０にブレーキがかかって定位される。こうして該上下両ケーブルＳ３，Ｓ４がスピーディーに定位されるが、これは該滑動溝１５の長さが徐々に短くなる、即ち該ボール２０は該可動空間１５３より該制限空間１５１までの距離が短くなるためであり、こうすることで該上下両ケーブルＳ３，Ｓ４は引っ張られて延伸した長さから、ブレーキがかけられるまでの長さの差が少なくなって、該上下両ケーブルＳ３，Ｓ４の長さの設定を正確にコントロールする目的が達成される。
【００１３】
図５に示すように、該上下両ケーブルＳ３，Ｓ４が収容された状態において、既に引っ張り出された該上下両ケーブルＳ３，Ｓ４を、使用者が力の加減を調整しながら引っ張り、力を徐々に緩めると、該回転ホイール１０が該渦巻きバネ８０の巻く力を受け、該上下両ケーブルＳ３，Ｓ４を回収し、ケーブルを回収している時間は、該ボール２０は絶え間なく該可動空間１５３中にて転がり続ける。回収動作が終わると、該上下両ケーブルＳ３，Ｓ４の至端部に連結された電気製品７０が、該定位溝６０の溝口にて定位される（図６参照）。
【００１４】
図７に示すように、該回転ホイール１０の左ホイール１１の外径ｄは該右ホイール１３の外径Ｄよりも小さく、よって該回転ホイール１０が回転力を受けて回転するとき、該左ホイール１１の放つ（或いは回収する）下ケーブルＳ４の長さは該右ホイール１３の放つ（或いは回収する）上ケーブルＳ３の長さより短くなる。
図８に示すように、該回転ホイール１０の左ホイール１１の外径が該右ホイール１３の外径Ｄに等しいとき、該左右両ホイール１１，２４上の上ケーブルＳ３，下ケーブルＳ４は引っ張られる（或いは回収される）長さが等しくなる。
【００１５】
図９，１０に示すように、本考案におけるもう一つの実施例では、メインホイール１４において上述の実施例と異なり、該シグナルケーブルＳの適当な個所が該回転ホイール１０の嵌合部１４１にて定位され、該上下両ケーブルＳ３，Ｓ４は重なってメインホイール１４上に巻かれ、上ケーブルＳ３（或いは下ケーブルＳ４）の外端が引っ張られる力を受けることで放たれ、また引っ張る力がなくなった後、該上下両ケーブルＳ３，Ｓ４は該メインホイール１４上に巻き返される。
また図１，６に示すように、本考案における上下両ケーブルＳ３，Ｓ４の外端に連結された電気製品７０には、各種プラグやコンセント、イヤホンやマイク、及び電気回路やその他の部品を含む。
【図面の簡単な説明】
【００１６】
【図１】本考案における立体分解図である。
【図２】本考案のもう一つの立体分解図である。
【図３】本考案の上下ケーブルが放たれた状態を示す断面図である。
【図４】本考案の上下ケーブルにブレーキがかかり、定位された様子を示す断面図である。
【図５】本考案の上下ケーブルが収容された状態を示す断面図である。
【図６】本考案の上下ケーブルが収容された状態を示す背面図である。
【図７】本考案の回転ホイールの左右両ホイールの外径を違えて設計した際における側面図である。
【図８】本考案の回転ホイールの左右ホイールの外径を等しく設計した際における側面図である。
【図９】本考案におけるもう一つの実施例における立体分解図である。
【図１０】本考案におけるもう一つの実施例の断面図である。
【図１１】公知のケーブル巻取器における立体分解図である。
【図１２】公知のケーブル巻取器における断面図である。
【符号の説明】
【００１７】
１０  回転ホイール
１０１  挟持溝
１１  左ホイール
１２  中心孔
１３  右ホイール
１４  メインホイール
１４１  嵌合部
１５  滑動溝
１５１  制限空間
１５２  上溝壁
１５３  可動空間
１６  収容凹部
１７，１８  穿孔
１９  リング
２０  ボール
３０  軸部
３１  嵌合溝
４０  右外殻
４４  挿入孔
５０  左外殻
５２  接続孔
５４  軸ピン
６０  定位溝
７０  電気製品
８０  渦巻きバネ
８１  底部
８２  外端
Ｓ  シグナルケーブル
Ｓ３  上ケーブル
Ｓ４  下ケーブル
D，ｄ  外径
A  回転ホイール
A１  左ホイール
A２  右ホイール
A３  環状の溝
A４  定位溝
B  固定軸
C  ケーブル
C１  上ケーブル
C２  下ケーブル
D  ボール
【図１】
0003102819.tif 000003
【図２】
0003102819.tif 000004
【図３】
0003102819.tif 000005
【図４】
0003102819.tif 000006
【図５】
0003102819.tif 000007
【図６】
0003102819.tif 000008
【図７】
0003102819.tif 000009
【図８】
0003102819.tif 000010
【図９】
0003102819.tif 000011
【図１０】
0003102819.tif 000012
【図１１】
0003102819.tif 000013
【図１２】
0003102819.tif 000014